(57)【要約】【課題】左方向からみた映像と右方向からみた映像の輝度ピークが表示パネルに対してほぼ等角度の位置となるように調整された２画面表示パネルを提供すること。【解決手段】本発明は、第１の画像を表示する第１サブ画素ＲＰＡと第２の画像を表示する第２サブ画素ＬＰＡとが交互に隣接配置された合成画像が入力される液晶表示基板ＤＳと、入力された合成画像のうち第１の画像と第２の画像とを夫々異なる視方向に判別可能に規制する遮光バリア基板ＢＳと、を有する２画面液晶表示パネル１であって、第１サブ画素ＲＰＡと第２サブ画素ＬＰＡとは画素領域内が表示部分５１Ｒ、５１Ｌと非表示部分５２Ｒ、５２Ｌとに区画され、隣接する第１サブ画素ＲＰＡの表示部分５１Ｒと第２サブ画素ＬＰＡの表示部分５１Ｌとは、互いに線対称となる形状を有している。【選択図】図６
2009223098.tif 000002
【特許請求の範囲】
【請求項１】
第１の画像を表示する第１サブ画素と第２の画像を表示する第２サブ画素とが交互に隣
接配置された合成画像が入力される表示基板と、前記入力された合成画像のうち前記第１
の画像と前記第２の画像とを夫々異なる視方向に判別可能に規制する視方向規制基板と、
を有する２画面表示パネルであって、
前記第１サブ画素と前記第２サブ画素とは画素領域内が表示部分と非表示部分とに区画
され、隣接する前記第１サブ画素の表示部分と前記第２サブ画素の表示部分とは、互いに
線対称となる形状を有していることを特徴とする２画面表示パネル。
【請求項２】
前記第１、第２サブ画素の非表示部分には、スイッチング素子形成部と前記スイッチン
グ素子の電極と画素電極とを接続するコンタクトホール形成部とが設けられており、前記
第１サブ画素の前記コンタクトホール形成部、あるいは前記スイッチング素子形成部及び
コンタクトホール形成部と、前記第２サブ画素の前記コンタクトホール形成部、あるいは
前記スイッチング素子形成部及びコンタクトホール形成部とは互いに線対称となる位置に
配設されていることを特徴とする請求項１に記載の２画面表示パネル。
【請求項３】
前記第１、第２サブ画素の表示部分が互いに線対称となるように遮光する遮光膜が形成
されることを特徴とする請求項１に記載の２画面表示パネル。
【請求項４】
前記視方向規制基板は、前記入力された合成画像のうち前記第１の画像と前記第２の画
像とをスリットにより夫々異なる視方向に判別可能に遮光する遮光バリアを備えた遮光バ
リア基板からなり、前記スリットは、前記第１サブ画素と前記第２サブ画素の間に位置し
ていることを特徴とする請求項１に記載の２画面表示パネル。
【請求項５】
前記視方向規制基板は、前記第１の画像と前記第２の画像とを夫々異なる視方向に分割
集光するレンチキュラーレンズからなることを特徴とする請求項１に記載の２画面表示パ
ネル。
【請求項６】
第１の画像を表示する第１サブ画素、第２の画像を表示する第２サブ画素及び第３の画
像を表示する第３サブ画素がゲートライン方向に順次隣接配置された合成画像が入力され
る表示基板と、前記入力された合成画像のうち前記第１の画像、前記第２の画像及び前記
第３の画像を夫々異なる視方向に判別可能に規制する視方向規制基板と、を有する３画面
表示パネルであって、
前記第１〜第３サブ画素は画素領域内が表示部分と非表示部分とに区画され、隣接する
前記第１サブ画素の表示部分と前記第３サブ画素の表示部分とは、互いに線対称となる形
状を有していることを特徴とする３画面表示パネル。
【請求項７】
前記第１〜第３サブ画素の非表示部分には、スイッチング素子形成部と前記スイッチン
グ素子の電極と画素電極とを接続するコンタクトホール形成部とが設けられており、前記
第１サブ画素の前記コンタクトホール形成部、あるいは前記スイッチング素子形成部及び
コンタクトホール形成部と、前記第３サブ画素の前記コンタクトホール形成部、あるいは
前記スイッチング素子形成部及びコンタクトホール形成部とは互いに線対称となる位置に
配設されていることを特徴とする請求項６に記載の３画面表示パネル。
【請求項８】
前記第１、第３サブ画素の表示部分が互いに線対称となるように遮光する遮光膜が形成
されることを特徴とする請求項６に記載の３画面表示パネル。
【請求項９】
前記視方向規制基板は、前記入力された合成画像のうち前記第１〜第３の画像をスリッ
トにより夫々異なる視方向に判別可能に遮光する遮光バリアを備えた遮光バリア基板から
なり、前記スリットは、前記第２サブ画素上に位置していることを特徴とする請求項６に
記載の３画面表示パネル。
【請求項１０】
前記視方向規制基板は、前記第１〜第３の画像を夫々異なる視方向に分割集光するレン
チキュラーレンズからなることを特徴とする請求項６に記載の３画面表示パネル。
【請求項１１】
第１の画像を表示する第１サブ画素と第２の画像を表示する第２サブ画素とが交互に隣
接配置された合成画像が入力される表示基板と、前記入力された合成画像のうち前記第１
の画像と前記第２の画像とをスリットにより夫々異なる視方向に判別可能に遮光する遮光
バリアを備えた遮光バリア基板と、を有する２画面表示パネルであって、
前記第１サブ画素と前記第２サブ画素の表示部分は上部幅と下部幅が異なる同一形状で
あり、画素領域内が表示部分と非表示部分とに区画されており、前記遮光バリア基板のス
リットは前記第１サブ画素と前記第２サブ画素の間にそれぞれ位置していると共に、前記
スリットの上部幅ａと前記第１サブ画素及び第２サブ画素の表示部分の上部幅ａ'、及び
前記スリットの下部幅ｂと前記第１サブ画素及び第２サブ画素の表示部分の下部幅ｂ'が
、以下の関係を有していることを特徴とする２画面表示パネル。
ａ：ａ'＝ｂ：ｂ'
【請求項１２】
第１の画像を表示する第１サブ画素、第２の画像を表示する第２サブ画素及び第３の画
像を表示する第３サブ画素がゲートライン方向に順次隣接配置された合成画像が入力され
る表示基板と、前記入力された合成画像のうち前記第１〜第３の画像をスリットにより夫
々異なる視方向に判別可能に遮光する遮光バリアを備えた遮光バリア基板を有する３画面
表示パネルであって、
前記第１サブ画素と前記第３サブ画素の表示部分は上部幅と下部幅が異なる同一形状で
あり、画素領域内が表示部分と非表示部分とに区画されており、前記遮光バリア基板のス
リットは前記第２サブ画素上に位置していると共に、前記スリットの上部幅ｃと前記第１
サブ画素及び第３サブ画素の表示部分の上部幅ｃ'、及び前記スリットの下部幅ｄと前記
第１サブ画素及び第３サブ画素の表示部分の下部幅ｄ'が、以下の関係を有していること
を特徴とする３画面表示パネル。
ｃ：ｃ'＝ｄ：ｄ'
【発明の詳細な説明】
【技術分野】
【０００１】
本発明はナビゲーション装置の表示装置等に用いられる２画面表示パネル及び３画面表
示パネルに関するものである。詳しくは、視方向により異なる映像を表示することが可能
なものであって、左方向からみた映像と右方向からみた映像の輝度ピークが表示パネルに
対してほぼ等角度の位置となるように調整された２画面表示パネル及び３画面表示パネル
に関するものである。
【背景技術】
【０００２】
自動車等に搭載される車載ナビゲーション装置においては、軽量、薄型、低消費電力と
いう特徴点からその表示手段として液晶表示パネルが多く用いられている。また、この車
載ナビゲーション装置においては、運転席と助手席とで異なる映像、例えば運転席からは
ナビゲーション画面が視認でき、助手席からはビデオ再生画面が視認できるいわゆる２画
面表示パネルが使用されているものがある（例えば下記特許文献１参照）。
【０００３】
図１９は従来例に係る２画面表示装置の断面図である。
以下には、従来の２画面表示装置について図１９を参照して説明する。従来例に係る２
画面表示装置１００は、図１９に示すように、第１の画像を表示する第１のサブ画素列１
０１ａと第２の画像を表示する第２のサブ画素列１０１ｂとが交互に配置されてなる液晶
表示パネル１０２を備えている。ここで、赤色・緑色・青色（以降ＲＧＢと記す。）個々
の素子単位をサブ画素といい、ＲＧＢの３つのサブ画素をまとめて画素という（カラーで
なく、白黒の場合はサブ画素＝画素となる。）。また、第１及び第２のサブ画素列１０１
ａ、１０１ｂは、例えば液晶表示装置の各サブ画素からなる。また、第１及び第２のサブ
画素列１０１ａ、１０１ｂの各画素間にはブラックマトリクス１０３が形成されている。
そして、液晶表示パネル１０２の上方には、図示しない厚さＧのガラス基板等の透明基板
を介して、遮光機能を有した金属もしくは樹脂等からなる遮光板１０４が配置されている
。この遮光板１０４は第１のサブ画素列１０１ａ及び第２のサブ画素列１０１ｂに対して
平行に交互に延びる遮光部１０５及び開口部１０６を備えている。
【０００４】
次に、上記構成の２画面表示装置１００により２画面表示が実現される仕組みについて
説明する。図１９に示すように、遮光板１０４の表面から距離Ｄだけ離間した液晶表示パ
ネル１０２の真正面の位置Ｃから左方向に離れた第１の観察領域Ａには、遮光板１０４の
開口部１０６を通して第１のサブ画素列１０１ａから第１の画像が提供される。このとき
、第２のサブ画素列１０１ｂの第２の画像は、遮光板１０４の遮光部１０５により遮られ
るため、第１の観察領域Ａには提供されない。
【０００５】
一方、液晶表示パネル１０２の真正面の位置Ｃから右方向に離れた第２の観察領域Ｂに
は、遮光板１０４の開口部１０６を通して第２のサブ画素列１０１ｂから第２の画像が提
供される。このとき、第１のサブ画素列１０１ａの第１の画像は、遮光板１０４の遮光部
１０５により遮られるため、第２の観察領域Ｂには提供されない。こうして、第１の観察
領域Ａに第１の画像を提供し、第２の観察領域Ｂに第２の画像を提供する２画面表示が行
われる。
【０００６】
このような２画面表示装置１００は、例えば、自動車内において運転席と助手席との間
にこの２画面表示装置１００を配置した場合、運転席と助手席とでは２画面表示装置１０
０の観察方向が異なるから、運転席の者には例えばカーナビゲーション装置の映像を観察
できるようにし、助手席の者にはその他の映像を観察できるようにすることができる。
【０００７】
上記従来例に示す２画面表示装置１００は、車載ナビゲーション装置の表示装置として
使用した場合、運転席と助手席とから表示画像を見た場合にはそれぞれ異なる映像が視認
できる。しかしながら、運転席と助手席との間の後部座席からこの２画面表示装置１００
を見た場合、すなわち２画面表示装置１００を真正面から見た場合には、表示されている
２つの画像の何れの画像も正確に視認できない。このような点から、２種類の映像ではな
く、３種類の映像を表示することが可能ないわゆる３画面表示装置も存在している（例え
ば下記特許文献２参照）。
【特許文献１】特開２００３−１３７００５号公報
【特許文献２】特開２００６−１８４８５９号公報
【発明の開示】
【発明が解決しようとする課題】
【０００８】
上記従来例に示す液晶表示装置によれば、異なる視方向からそれぞれ異なる映像を視認
できる表示装置を提供することが可能である。しかしながら、例えば上記２画面表示装置
の視方向について詳しく分析してみると、左右の表示画像の輝度分布バランスが崩れてい
ることが本発明者により知見された。
【０００９】
図２０は図１９に示す２画面表示装置における白色の輝度分布バランスを測定した結果
を示すグラフである。この図２０に示すように、従来の２画面表示装置においては、左用
画素の白色光の輝度分布１１０Ａと右用画素の白色光の輝度分布１１０Ｂが、２画面表示
装置の中心線１１１に対して一方（図２０においては左側）に偏った状態となっている。
【００１０】
本発明者は、上記のような輝度分布バランスの偏りの原因について調べた結果、従来の
２画面表示装置においては、主にスリットを有するバリア基板によってその視方向を規制
しているが、このスリットを介して照射される光の輝度が左右で異なっていることを見出
した。そして、この点について更に検討したところ、従来の２画面表示装置は、通常の表
示装置と同様に、その開口度を最大限に維持するため、及び配向制御を円滑に行えるよう
にするために１つの画素の構成については左右何れの画像を形成するものも同一の配線構
造で形成されている。そして、このように同一の配線構造で形成された画素の開口部の形
状は、互いに隣接する画素同士の間では対称性がない。このため、開口部の分布にバラツ
キが生じ、以ってバリア基板のスリットを通過して照射される輝度が左右で異なってしま
うことが分かった。このように左右で輝度分布にバラツキが生じると、左右で異なる視野
角特性を有する２画面表示装置となってしまう。
【００１１】
以上の点から、本発明の目的は、左方向からみた映像と右方向からみた映像の輝度ピー
クが表示パネルに対してほぼ等角度の位置となるように調整された２画面表示パネル及び
３画面表示パネルを提供することである。
【課題を解決するための手段】
【００１２】
上記目的を達成するために、本発明の第１の態様に係る２画面表示パネルは、第１の画
像を表示する第１サブ画素と第２の画像を表示する第２サブ画素とが交互に隣接配置され
た合成画像が入力される表示基板と、前記入力された合成画像のうち前記第１の画像と前
記第２の画像とを夫々異なる視方向に判別可能に規制する視方向規制基板と、を有する２
画面表示パネルであって、
前記第１サブ画素と前記第２サブ画素とは画素領域内が表示部分と非表示部分とに区画
され、隣接する前記第１サブ画素の表示部分と前記第２サブ画素の表示部分とは、互いに
線対称となる形状を有していることを特徴とする。
【００１３】
上記第１の態様に係る２画面表示パネルにおいては、異なる画像を表示する第１サブ画
素及び第２サブ画素の中の画像の表示に寄与する部分である表示部分の形状を、互いに線
対称となるようにしている。そして、これら第１、第２サブ画素を透過して照射される光
は視方向規制基板によって所定の方向、例えば左右に視方向が規制される。このような構
成により、従来の２画面表示パネルでは第１、第２のサブ画素の表示部分の形状に対称性
がなかったために第１の画像と第２の画像とを２画面表示パネルの中心線から等角度の視
方向に規制しても、その輝度分布が左右いずれかの方向に偏ってしまう傾向にあったが、
この問題を解消することが可能となる。すなわち、従来はスリットを透過する光の量が、
サブ画素内の表示部分の面積の多い方向に偏る傾向があったが、表示部分の形状を線対称
となるように設定したため、このような偏りが発生することがなくなり、左右均等な輝度
分布で２つの画像を表示することができるようになる。
【００１４】
また、上記２画面表示パネルにおいて、前記第１、第２サブ画素の非表示部分には、ス
イッチング素子形成部と前記スイッチング素子の電極と画素電極とを接続するコンタクト
ホール形成部とが設けられており、前記第１サブ画素の前記コンタクトホール形成部、あ
るいは前記スイッチング素子形成部及びコンタクトホール形成部と、前記第２サブ画素の
前記コンタクトホール形成部、あるいは前記スイッチング素子形成部及びコンタクトホー
ル形成部とは互いに線対称となる位置に配設されていると好ましい。
【００１５】
上記好ましい態様によれば、第１、第２サブ画素は表示部分と非表示部分とに区画され
ており、第１、第２サブ画素の非表示部分を互いに線対称となるように、非表示部分を構
成するコンタクトホール形成部、あるいはコンタクトホール形成部及びスイッチング素子
形成部の位置を調整している。したがって、非表示部分が互いに線対称な形状となるのに
伴って表示部分も互いに線対称な形状とすることができる。
【００１６】
また、上記２画面表示パネルにおいて、前記第１、第２サブ画素の表示部分を互いに線
対称となるように遮光する遮光膜が形成されると好ましい。
【００１７】
上記好ましい態様によれば、液晶表示基板の配線構造については従来のものと変更する
ことなく、表示領域を狭くする遮光膜を形成することで表示部分の線対称性を得ることも
できる。なお、この場合の非表示部分は、上述したコンタクトホール形成部及びスイッチ
ング素子形成部に加えて、遮光膜が設けられた部分も含まれる。
【００１８】
また、上記２画面表示パネルにおいて、前記視方向規制基板は、前記入力された合成画
像のうち前記第１の画像と前記第２の画像とをスリットにより夫々異なる視方向に判別可
能に遮光する遮光バリアを備えた遮光バリア基板からなり、前記スリットは、前記第１サ
ブ画素と前記第２サブ画素の間に位置していると好ましい。
【００１９】
上記好ましい態様によれば、視方向規制基板に、遮光バリアとスリットとを有する遮光
バリア基板を使用することにより、簡単に異なる２つの方向への視方向の規制を実現する
ことができる。
【００２０】
また、上記２画面表示パネルにおいて、前記視方向規制基板は、前記第１の画像と前記
第２の画像とを夫々異なる視方向に分割集光するレンチキュラーレンズからなると好まし
い。
【００２１】
上記好ましい態様によれば、視方向規制基板に、レンチキュラーレンズを使用すること
により、簡単に異なる２つの方向への視方向の規制を実現することができる。
【００２２】
本発明の第２の態様に係る３画面表示パネルは、第１の画像を表示する第１サブ画素、
第２の画像を表示する第２サブ画素及び第３の画像を表示する第３サブ画素がゲートライ
ン方向に順次隣接配置された合成画像が入力される表示基板と、前記入力された合成画像
のうち前記第１の画像、前記第２の画像及び前記第３の画像を夫々異なる視方向に判別可
能に規制する視方向規制基板と、を有する３画面表示パネルであって、
前記第１〜第３サブ画素は画素領域内が表示部分と非表示部分とに区画され、隣接する
前記第１サブ画素の表示部分と前記第３サブ画素の表示部分とは、互いに線対称となる形
状を有していることを特徴とする。
【００２３】
上記第２の態様に係る３画面表示パネルにおいては、３つの画像をそれぞれ表示する、
ゲートライン方向に順次配列された第１〜第３のサブ画素のうち、第１及び第３サブ画素
の表示部分を互いに線対称となる形状としている。したがって、所定の方向、例えば左右
及び中央の３方向にそれぞれその視方向が規制される第１〜第３サブ画素を透過した光の
うち、特に左右に視方向が規制される第１、第３サブ画素からの光の輝度分布に偏りが生
じることなく、均等な輝度分布での表示を行うことができるようになる。
【００２４】
また、上記３画面表示パネルにおいて、前記第１〜第３サブ画素の非表示部分には、ス
イッチング素子形成部と前記スイッチング素子の電極と画素電極とを接続するコンタクト
ホール形成部とが設けられており、前記第１サブ画素の前記コンタクトホール形成部、あ
るいは前記スイッチング素子形成部及びコンタクトホール形成部と、前記第３サブ画素の
前記コンタクトホール形成部、あるいは前記スイッチング素子形成部及びコンタクトホー
ル形成部とは互いに線対称となる位置に配設されていると好ましい。
【００２５】
上記好ましい態様によれば、第１〜第３サブ画素は表示部分と非表示部分とに区画され
ており、第１、第３サブ画素の非表示部分を互いに線対称となるように、非表示部分を構
成するコンタクトホール形成部、あるいはコンタクトホール形成部及びスイッチング素子
形成部の位置を調整している。したがって、第１、第３サブ画素の非表示部分が互いに線
対称な形状となるのに伴って第１、第３サブ画素の表示部分も互いに線対称な形状とする
ことができる。なお、第２サブ画素の構成については特に構成を調整する必要はない。
【００２６】
また、上記３画面表示パネルにおいて、前記第１、第３サブ画素の表示部分が互いに線
対称となるように遮光する遮光膜が形成されると好ましい。
【００２７】
上記好ましい態様によれば、液晶表示基板の配線構造については従来のものと変更する
ことなく、表示領域を狭くする遮光膜を形成することで第１、第３サブ画素の表示部分の
線対称性を得ることもできる。なお、この場合の非表示部分とは、上述したコンタクトホ
ール形成部及びスイッチング素子形成部に加えて、遮光膜が設けられた部分も含まれる。
また、第２サブ画素の表示部分には第１、第３サブ画素に形成されているような遮光膜の
構成は必要ない。
【００２８】
また、上記３画面表示パネルにおいて、前記視方向規制基板は、前記入力された合成画
像のうち前記第１〜第３の画像をスリットにより夫々異なる視方向に判別可能に遮光する
遮光バリアを備えた遮光バリア基板からなり、前記スリットは、前記第２サブ画素上に位
置していると好ましい。
【００２９】
上記好ましい態様によれば、視方向規制基板に、遮光バリアとスリットとを有する遮光
バリア基板を使用することにより、簡単に異なる３つの方向への視方向の規制を実現する
ことができる。
【００３０】
また、上記３画面表示パネルにおいて、前記視方向規制基板は、前記第１〜第３の画像
を夫々異なる視方向に分割集光するレンチキュラーレンズからなると好ましい。
【００３１】
上記好ましい態様によれば、視方向規制基板に、レンチキュラーレンズを使用すること
により、簡単に異なる２つの方向への視方向の規制を実現することができる。
【００３２】
本発明の第３の態様に係る２画面表示パネルは、第１の画像を表示する第１サブ画素と
第２の画像を表示する第２サブ画素とが交互に隣接配置された合成画像が入力される表示
基板と、前記入力された合成画像のうち前記第１の画像と前記第２の画像とをスリットに
より夫々異なる視方向に判別可能に遮光する遮光バリアを備えた遮光バリア基板と、を有
する２画面表示パネルであって、
前記第１サブ画素と前記第２サブ画素の表示部分は上部幅と下部幅が異なる同一形状で
あり、画素領域内が表示部分と非表示部分とに区画されており、前記遮光バリア基板のス
リットは前記第１サブ画素と前記第２サブ画素の間にそれぞれ位置していると共に、前記
スリットの上部幅ａと前記第１サブ画素及び第２サブ画素の表示部分の上部幅ａ'、及び
前記スリットの下部幅ｂと前記第１サブ画素及び第２サブ画素の表示部分の下部幅ｂ'が
、以下の関係を有していることを特徴とする。
ａ：ａ'＝ｂ：ｂ'
【００３３】
上記第３の態様に係る２画面表示パネルは、第１、第２サブ画素の表示部分が上部幅と
下部幅が異なる同一形状であるとき、遮光バリア基板のスリットを両サブ画素間に配設し
、さらには、スリットの上部幅と下部幅とを、第１、第２サブ画素の表示部分の上部幅と
下部幅とに合わせて調整している。このような構成により、スリットが表示部分の形状に
合わせられているのでスリットを介して照射される光は均一な輝度の光となる。すなわち
、従来の２画面表示パネルにおいては、第１、第２のサブ画素の表示部分の形状とは無関
係に、例えば矩形状に設けられたスリットを用いて視方向を規制するため、表示部分の面
積がサブ画素内の左右間あるいは上下間でバラツキが発生することがある。しかしながら
、本発明の２画面表示パネルによれば、スリットの形状を第１、第２サブ画素の表示部分
に合わせているので、スリットを介して照射される光にバラツキが発生することがなくな
り、左右均等な輝度分布で２つの画像を表示することができるようになる。
【００３４】
本発明の第４の態様に係る３画面表示パネルは、第１の画像を表示する第１サブ画素、
第２の画像を表示する第２サブ画素及び第３の画像を表示する第３サブ画素がゲートライ
ン方向に順次隣接配置された合成画像が入力される表示基板と、前記入力された合成画像
のうち前記第１〜第３の画像をスリットにより夫々異なる視方向に判別可能に遮光する遮
光バリアを備えた遮光バリア基板を有する３画面表示パネルであって、
前記第１サブ画素と前記第３サブ画素の表示部分は上部幅と下部幅が異なる同一形状で
あり、画素領域内が表示部分と非表示部分とに区画されており、前記遮光バリア基板のス
リットは前記第２サブ画素上に位置していると共に、前記スリットの上部幅ｃと前記第１
サブ画素及び第３サブ画素の表示部分の上部幅ｃ'、及び前記スリットの下部幅ｄと前記
第１サブ画素及び第３サブ画素の表示部分の下部幅ｄ'が、以下の関係を有していること
を特徴とする。
ｃ：ｃ'＝ｄ：ｄ'
【００３５】
上記第４の態様に係る３画面表示パネルは、３つのサブ画素のうち、少なくとも第１、
第３サブ画素の表示部分が上部幅と下部幅が異なる同一形状であるとき、遮光バリア基板
のスリットを両サブ画素間に配設し、さらには、スリットの上部幅と下部幅とを、第１、
第３サブ画素の表示部分の上部幅と下部幅とに合わせて調整している。このような構成に
より、スリットが表示部分の形状に合わせられているので、スリットを介して照射される
光は均一な輝度の光となり、左右均等な輝度分布で３つの画像のうちの２つを表示するこ
とができるようになる。なお、残り１つのサブ画素である第２サブ画素についても、第１
、第３サブ画素の表示部分と同一形状の表示部分を備えるようになせば、輝度の統一化を
図ることができる。
【発明を実施するための最良の形態】
【００３６】
以下、図面を参照して本発明の最良の実施形態を説明する。但し、以下に示す実施形態
は、本発明の技術思想を具体化するための２画面表示パネル及び３画面表示パネルを例示
するものとして、２画面液晶表示パネル及び３画面液晶表示パネルについて示すものであ
って、本発明をこの２画面液晶表示パネル及び３画面液晶表示パネルに特定することを意
図するものではなく、特許請求の範囲に含まれるその他の実施形態、例えば有機ＥＬ素子
を用いた２画面表示パネル及び３画面表示パネルにも等しく適応し得るものである。
【００３７】
図１は本発明の第１の実施形態に係る２画面液晶表示パネルを示す平面図である。図２
は図１の２画面液晶表示パネルの表示領域における断面図である。図３は左右から見た表
示画面を示す図である。図４は遮光バリア基板の要部を拡大して示す平面図である。図５
は液晶表示基板の２つのサブ画素の配線構造を示す拡大平面図である。図６は図５に対応
した各サブ画素の表示部分及び非表示部分とスリットとの位置関係を示す概略説明図であ
る。図７は第１の実施形態に係る２画面液晶表示パネルにおける白色の輝度分布バランス
を測定した結果を示すグラフである。図８は第１の実施形態の変形例に係る液晶表示基板
の２つのサブ画素の配線構造を示す拡大平面図である。図９は第２の実施形態に係る２画
面液晶表示パネルの液晶表示基板の２つのサブ画素の配線構造を示す拡大平面図である。
図１０は図９に対応した各サブ画素の表示部分及び非表示部分とスリットとの位置関係を
示す概略説明図である。図１１は第３の実施形態における各サブ画素の表示部分及び非表
示部分とスリットとの位置関係を示す概略説明図である。図１２は第４の実施形態にかか
る３画面液晶表示パネルの表示領域における断面図である。図１３は液晶表示基板の３つ
のサブ画素の配線構造を示す拡大平面図である。図１４は図１３に対応した各サブ画素の
表示部分及び非表示部分とスリットとの位置関係を示す概略説明図である。図１５は第４
の実施形態の変形例に係る液晶表示基板の３つのサブ画素の配線構造を示す拡大平面図で
ある。図１６は第５の実施形態に係る３画面液晶表示パネルの液晶表示基板の３つのサブ
画素の配線構造を示す拡大平面図である。図１７は図１６に対応した各サブ画素の表示部
分及び非表示部分とスリットとの位置関係を示す概略説明図である。図１８は第６の実施
形態における各サブ画素の表示部分及び非表示部分とスリットとの位置関係を示す概略説
明図である。
【００３８】
［第１の実施形態］
本発明の２画面液晶表示パネル１は、図１及び図２に示すように、表示基板を構成する
液晶表示基板ＤＳと視方向規制基板を構成する遮光バリア基板ＢＳとを積層配置し透明材
料からなる接着剤４１を用いて接着したものである。また、この液晶表示基板ＤＳと遮光
バリア基板ＢＳの積層体の表面及び背面にはそれぞれ偏光板４２、４３が取り付けられて
おり、さらに液晶表示基板ＤＳの背面に取り付けられた偏光板４３の背面にはバックライ
トＢＬが配設されている。
【００３９】
液晶表示基板ＤＳは、カラーのＷＶＧＡであり、更にはその駆動方式がＦＦＳ（Fringe
Field Switching）モードの液晶表示基板で構成されている。そして、ガラス等からなる
透明基板１０の表面に各種配線が形成されたアレイ基板ＡＲと、同じくガラス等からなる
透明基板２０の表面に遮光層（図示省略）や複数色、例えばＲ（赤）、Ｇ（緑）、Ｂ（青
）のカラーフィルタ層２１等が設けられたカラーフィルタ基板ＣＦと、を備え、これらの
基板ＡＲ、ＣＦを対向させてシール材（図示省略）により貼り合わせ、内部に液晶ＬＣを
封入することで形成されるものである。また、液晶表示基板ＤＳのカラーフィルタ基板Ｃ
Ｆに形成される遮光層は、アレイ基板ＡＲに設けられる走査線１１及び信号線１２と平面
視で重なる部分と、後述する非表示部分５２Ｒ、５２Ｌ（図６参照）と平面視で重なる部
分を覆うように形成されており、この遮光層により覆われた領域にカラーフィルタ層２１
が配設されることになる。
【００４０】
そして、この液晶表示基板ＤＳの液晶ＬＣが封入された領域が画像表示を行う表示領域
ＤＡを構成している。なお、液晶表示基板ＤＳのアレイ基板ＡＲを構成する透明基板１０
は、遮光バリア基板ＢＳより大きなものが使用されており、この液晶表示基板ＤＳに遮光
バリア基板ＢＳを積層された状態で外部に露出する張り出し部１０ａを備え、この張り出
し部１０ａは液晶駆動用のドライバやＦＰＣ（Flexible Printed Circuit）の取り付けが
行われる領域となっている。
【００４１】
また、この液晶表示基板ＤＳの各サブ画素は、第１の画像と第２の画像、例えばナビゲ
ーション画像とＤＶＤ画像を表示するものにそれぞれ分かれている。詳しくは、図２に示
すように、第１の画像としてのナビゲーション画像を右側に表示するための第１サブ画素
ＲＰＡと、第２の画像としてのＤＶＤ画像を左側に表示するための第２サブ画素ＬＰＡと
、が互いに隣接した形で市松模様状に配列されている。
【００４２】
遮光バリア基板ＢＳは、ガラス等からなる透明基板３０の表面にブラックマトリクス等
で形成された遮光バリア３１と、この遮光バリア３１を覆うように配設されてこの遮光バ
リア３１の剥離及び液晶表示基板ＤＳとの接着を強固にするためのオーバーレイヤ３３を
備えている。この遮光バリア３１は、透明基板３０の全面に塗布されているとともに、第
１の画像を表示する第１サブ画素ＲＰＡを透過した光を一方、例えば２画面液晶表示パネ
ル１の右側に位置する席（例えば運転席）側にのみ透過し、第２の画像を表示する第２サ
ブ画素ＬＰＡを透過した光を他方、例えば２画面液晶表示パネル１の左側に位置する席（
例えば助手席）側にのみ透過するようにその視方向を規制するものである。さらに詳しく
は、この遮光バリア３１は、図４に示すように、市松模様に配設されており、この遮光バ
リア３１の複数の隙間にスリット３２が形成されている。また、この遮光バリア３１及び
スリット３２は、同じく市松模様に対応した形で合成された第１の画像と第２の画像の信
号とからなる合成画像信号が液晶表示基板ＤＳに入力されることで、これら第１の画像及
び第２の画像を異なる視方向に規制する。このようにして表示される画像は、図３に示す
ように、右側から見た場合にはナビゲーション画像が表示され（図３Ａ参照）、左側から
見た場合にはＤＶＤ画像が表示されるようになる（図３Ｂ参照）。
【００４３】
次に、図５を参照して、液晶表示基板ＤＳのアレイ基板ＡＲ上に形成される配線構造に
ついて説明を行う。
アレイ基板ＡＲの表示領域ＤＡに該当する透明基板１０の表面には、図５に示すように
、互いに隣接配置された複数個の第１サブ画素ＲＰＡと第２サブ画素ＬＰＡとが設けられ
ている。更に詳しくは、絶縁膜を介してマトリクス状に配設された例えばＭｏ／Ａｌの２
層配線からなる走査線１１及び信号線１２と、走査線１１上に配設された例えばアモルフ
ァスシリコン（ａ−Ｓｉ）層からなる半導体層１３と、信号線１２から延設されその端部
が半導体層１３の一部に重畳しているソース電極ＳＥと、一方の端部がこのソース電極Ｓ
Ｅの端部に半導体層１３で対向するように形成されたドレイン電極ＤＥと、ソース電極Ｓ
Ｅ及びドレイン電極ＤＥ上等を覆うように形成された絶縁膜のドレイン電極ＤＥの端部と
重なる位置に設けられたコンタクトホールＣＨと、コンタクトホールＣＨ上を除く表示領
域ＤＡ全体に形成された共通電極１４と、各サブ画素ＲＰＡ、ＬＰＡ毎に形成され、複数
のスリット１５ａを有すると共にコンタクトホールＣＨを介してドレイン電極ＤＥに接続
された画素電極１５と、を備えている。なお、半導体層１３の下に位置する部分の走査線
１１はゲート電極を構成しており、これら半導体層１３、ゲート電極、ソース電極ＳＥ及
びドレイン電極ＤＥにより、スイッチング素子としてのＴＦＴ（Thin Film Transistor）
が構成されている。
【００４４】
ところで、従来の２画面液晶表示パネルを構成する液晶表示基板のサブ画素は、その開
口率をできる限り低下させないようにスイッチング素子としてのＴＦＴの形成位置及びこ
のＴＦＴから延びるドレイン電極上に設けられるコンタクトホール形成位置を、対応する
信号が入力される信号線及び走査線の交差部近傍に形成する。しかしながら、本実施形態
に係る２画面液晶表示パネル１の液晶表示基板ＤＳでは、図５に示すように、一方のサブ
画素、詳しくは第１サブ画素ＲＰＡに設けられるコンタクトホールＣＨの形成位置を、対
応する信号が入力される信号線１２から離れた位置に設けている。さらに詳しく言えば、
本実施形態における第１サブ画素ＲＰＡのＴＦＴから延びるドレイン電極ＤＥは、一端部
が半導体層１３上に配設され、且つこの一端部からクランク状に屈曲されて、対応する信
号が入力される信号線１２（便宜上この信号線を１２Ｐとする）とは異なる隣接した他の
信号線１２（便宜上この信号線を１２Ｓとする）に近接する位置まで延在され、この信号
線１２Ｓに沿って（図５における上方向に）更に延在し、その端部にコンタクトホールＣ
Ｈが形成されている。
【００４５】
なお、このようにクランク状に屈曲されて配線されたドレイン電極ＤＥの中間部の配線
は、走査線１１上に配設されている。そして、このようにドレイン電極ＤＥの中間部がそ
の上部に配線できるように、走査線１１はその幅長が比較的大きく設定されている。この
ように、上述のような配線構造のドレイン電極ＤＥを有する第１サブ画素ＲＰＡは、第２
サブ画素ＬＰＡの形状と比較すると、コンタクトホールＣＨ形成位置が異なる。当然なが
ら、ドレイン電極ＤＥは信号線１２及びソース電極ＳＥと同一工程且つ同一材料で形成さ
れているので遮光性の導電材料からなり、加えてこのドレイン電極ＤＥ上は遮光層で覆わ
れている。よって、このドレイン電極ＤＥ上は表示に寄与しない部分、すなわち非表示部
分５２Ｒ、５２Ｌ（図６参照）となる。
【００４６】
次に、図６を参照して上述の構成を備える液晶表示基板ＤＳの第１、第２サブ画素ＲＰ
Ａ、ＬＰＡと、遮光バリア基板ＢＳのスリット３２との位置関係について説明する。なお
、図６は図５に示す第１、第２サブ画素ＲＰＡ、ＬＰＡに対応した図面であり、第１、第
２サブ画素ＲＰＡ、ＬＰＡの表示部分５１Ｒ、５１Ｌと非表示部分５２Ｒ、５２Ｌにはそ
れぞれ異なるハッチングを施し、スリット３２は点線で示している。
【００４７】
上記において図５を参照して説明した第１、第２サブ画素ＲＰＡ、ＬＰＡは、図６に示
すように、後述するコンタクトホール形成部５３Ｒ、５３Ｌを除く画素電極１５が形成さ
れた位置が表示に寄与する部分、すなわち表示部分５１Ｒ、５１Ｌを形成している。そし
て、コンタクトホールＣＨが形成された部分、厳密に言えばコンタクトホールＣＨが形成
されることで露出するドレイン電極ＤＥの端部が配線された部分がコンタクトホール形成
部５３Ｒ、５３Ｌとなり、ＴＦＴが表面に形成された走査線１１の配線部分がスイッチン
グ素子形成部５４Ｒ、５４Ｌとなる。これらコンタクトホール形成部５３Ｒ、５３Ｌ及び
スイッチング素子形成部５４Ｒ、５４Ｌが、表示に寄与しない部分、すなわち非表示部分
５２Ｒ、５２Ｌを形成している。
【００４８】
また、図６に示すように、互いに隣接配置された第１、第２サブ画素ＲＰＡ、ＬＰＡの
間には、両サブ画素ＲＰＡ、ＬＰＡとほぼ同一の大きさ且つ形状を有するスリット３２が
位置している。このスリット３２は、図４及び図６に示したように、縦方向に細長な矩形
状の開孔であって、その長手方向の長さが第１、第２サブ画素ＲＰＡ、ＬＰＡの長手方向
の長さとほぼ同じか若干小さく設定されている。同様に、スリット３２の短手方向の長さ
は、第１、第２サブ画素ＲＰＡ、ＬＰＡの短手方向の長さとほぼ同じか若干小さく設定さ
れている。
【００４９】
そして、上述のような構成からなる第１、第２サブ画素ＲＰＡ、ＬＰＡの表示部分５１
Ｒ、５１Ｌの形状は、図６に示すように、第１、第２サブ画素ＲＰＡ、ＬＰＡ間に引かれ
た中心線ＣＬを境に、互いに線対称となる形状を有している。また、同様に、非表示部分
５２Ｒ、５２Ｌについても、この中心線ＣＬを境に互いに線対称となる形状を有している
。
【００５０】
このように、特に第１、第２サブ画素ＲＰＡ、ＬＰＡの表示部分５１Ｒ、５１Ｌが中心
線ＣＬを境に互いに線対称となる形状を有していると、以下に示すような効果を得ること
ができる。すなわち、遮光バリア基板ＢＳに形成されたスリット３２は、第１、第２サブ
画素ＲＰＡ、ＬＰＡの間に配設されており、且つ、このスリット３２の長手方向に平行な
中心線は、第１、第２サブ画素ＲＰＡ、ＬＰＡ間に引かれた中心線ＣＬと一致している。
したがって、このような構成を備える２画面液晶表示パネル１を駆動すると、スリット３
２を通って左視方向及び右視方向に導かれる輝度分布は、第１、第２サブ画素ＲＰＡ、Ｌ
ＰＡの表示部分５１Ｒ、５１Ｌがスリット３２に対しても線対称な形状を維持しているの
で、左右の視方向の間ではほとんど同一の輝度分布となる。これにより上述の従来技術と
して説明した図２０に示すような左右の視方向での輝度分布の偏りは発生せず、図７に示
すように、右用となる第１サブ画素ＲＰＡの白色光の輝度分布５０Ｒと左用となる第２サ
ブ画素ＬＰＡの白色光の輝度分布５０Ｌとが、２画面液晶表示パネル１の中心線５０Ｃに
対して均等に分布する。
【００５１】
したがって、上述の構成を備える第１の実施形態に係る２画面液晶表示パネル１は、輝
度分布の偏りがないため、例えば車載ナビゲーション装置の表示装置として使用した場合
、左右座席の間に配設されることで左右何れの座席からも対応する画像が見やすくなる。
【００５２】
また、上記第１の実施形態においては、コンタクトホール形成部５３Ｒ、５３Ｌを第１
、第２サブ画素ＲＰＡ、ＬＰＡの境界部分に位置する中心線ＣＬに対して線対称となる位
置に形成するため、第１サブ画素ＲＰＡのドレイン電極ＤＥをクランク状に屈曲させた構
成について説明した。しかしながら、このようにドレイン電極ＤＥをクランク状に延在さ
せるだけでなく、例えばＴＦＴの形成位置を変更することによっても上述と同様の位置に
コンタクトホール形成部５３Ｒ、５３Ｌを配設することができる。そこで、以下には、上
記第１の実施形態の変形例として、一方のサブ画素のＴＦＴ形成位置を変更したものにつ
いて図８を参照して説明する。
【００５３】
本変形例に係る第１、第２サブ画素ＲＰＡ'、ＬＰＡ'は、そのうちの一方、詳しくは第
１サブ画素ＲＰＡ'のＴＦＴが、対応する信号が入力される信号線１２Ｐとは異なる隣接
した他の信号線１２Ｓに近接した位置に設けられている。すなわち、第１サブ画素ＲＰＡ
'の対応する信号が入力される信号線１２Ｐから延設されるソース電極ＳＥが、隣接した
他の信号線１２Ｓに近接する位置まで走査線１１上を延びており、他の信号線１２Ｓに近
接した位置に予め設けられた半導体層１３にその端部が重畳している。そして、このソー
ス電極ＳＥの端部に半導体層１３上で対向配置されたドレイン電極ＤＥが他の信号線１２
Ｓに沿って延在することにより、この他の信号線１２Ｓに近接した位置に第１サブ画素Ｒ
ＰＡ'のコンタクトホール形成部５３Ｒ（図６参照）が設けられている。
【００５４】
上述のように、ＴＦＴの形成位置を変更すれば、上記第１の実施形態において図６に示
すものと同様に、第１、第２サブ画素ＲＰＡ'、ＬＰＡ'の表示部分５１Ｒ、５１Ｌも中心
線ＣＬに対して線対称な形状となるので、上記第１の実施形態の奏する効果と同様の効果
を得ることができる。
【００５５】
なお、上記第１の実施形態及び変形例においては、第１サブ画素ＲＰＡ、ＲＰＡ'のド
レイン電極ＤＥ形状あるいはＴＦＴ配設位置を工夫することにより上述の効果を奏するも
のについて説明したが、第２サブ画素ＬＰＡ、ＬＰＡ'のドレイン電極ＤＥ形状あるいは
ＴＦＴ配設位置を工夫することで上述の効果を奏する構成とすることももちろん可能であ
る。
【００５６】
［第２の実施形態］
上記第１の実施形態に係る２画面液晶表示パネル１においては、第１、第２サブ画素Ｒ
ＰＡ、ＬＰＡの特に非表示部分５２Ｒ、５２Ｌを構成するコンタクトホール形成部５３Ｒ
、５３Ｌの配設位置を適宜調整することにより、表示部分５１Ｒ、５１Ｌの線対称形状を
実現した。しかしながら、他の構成を採用することによって同様の効果を奏することも可
能である。そこで、以下には、本発明の第２の実施形態として、上述した実施形態のもの
とは異なる構成を採用した第１、第２サブ画素ＲＰＡ１、ＬＰＡ１について、図９及び図
１０を参照して説明する。なお、本実施形態に係る発明は、第１、第２サブ画素ＲＰＡ１
、ＬＰＡ１の構成以外は上記第１の実施形態に係る２画面液晶表示パネル１と同様の構成
を備えているので、共通する構成については同一の参照符号を付してその説明を省略し、
異なる構成についてのみ説明を行うものとする。
【００５７】
第２の実施形態に係る第１、第２サブ画素ＲＰＡ１、ＬＰＡ１は、アレイ基板ＡＲに設
けられる各種配線の構成については従来のものと同一である。すなわち、第１、第２サブ
画素ＲＰＡ１、ＬＰＡ１は、走査線１１及び信号線１２に囲まれた矩形状の領域であって
、その一隅部、詳しくは対応する信号が入力される信号線１２と走査線１１とが交差する
部分の近傍にＴＦＴが形成された構成を備えている。そして、このＴＦＴが形成された部
分からドレイン電極ＤＥが信号線１２に沿って延在しており、このドレイン電極ＤＥの端
部がコンタクトホールＣＨを介して露出して画素電極１５に接続されることになる。
【００５８】
このように、アレイ基板ＡＲの構成は従来のものと同一であるが、本実施形態に係る第
１、第２サブ画素ＲＰＡ１、ＬＰＡ１のカラーフィルタ基板ＣＦの遮光層２２が、従来と
は異なる構成を備えている。この遮光層２２の構成について詳述すると、従来のカラーフ
ィルタ基板に形成される遮光層は、走査線及び信号線上、ＴＦＴ上及びコンタクトホール
形成部上を覆うように成膜されるが、本実施形態の遮光層２２は、これらの上部に加えて
、表示可能な領域を狭くする遮光部分５９Ｒ，５９Ｌにも設けられている。この遮光部分
５９Ｒ、５９Ｌは、図９及び図１０に示すように、各サブ画素ＲＰＡ１、ＬＰＡ１のコン
タクトホール形成部５７Ｒ、５７Ｌと各サブ画素ＲＰＡ１、ＬＰＡ１の長手方向に平行な
中心線を基準に対称となる位置に設けられている。したがって、図１０に示すように、各
サブ画素ＲＰＡ１、ＬＰＡ１のコンタクトホール形成部５７Ｒ、５７Ｌと、スイッチング
素子形成部５８Ｒ、５８Ｌと、遮光部分５９Ｒ、５９Ｌとで構成される非表示部分５６Ｒ
、５６Ｌが同一且つ互いに対称な形状となっている。
【００５９】
すなわち、本実施形態に係る構造によれば、この遮光部分５９Ｒ、５９Ｌにも遮光層２
２が形成されることで、非表示部分５６Ｒ、５６Ｌが同一且つ互いに対称な形状となり、
以って、表示部分５５Ｒ、５５Ｌも同一且つ各サブ画素ＲＰＡ１、ＬＰＡ１間に引かれた
中心線ＣＬを境に線対称な形状となっている。したがって、本実施形態においても、スリ
ット３２を通って左視方向及び右視方向に導かれる輝度分布は左右何れにも偏ることのな
いものとなる。これにより、本実施形態に記載のものは、上述の従来技術として説明した
図２０に示すような左右の視方向での輝度分布の偏りの発生しない、均等な輝度分布が得
られる。
【００６０】
なお、上記第１の実施形態、第１の実施形態の変形例及び第２の実施形態においては、
遮光バリア基板ＢＳを有するものについて説明したが、遮光バリア基板ＢＳに代えて、第
１、第２サブ画素ＲＰＡ、ＲＰＡ'ＲＰＡ１及びＬＰＡ、ＬＰＡ'、ＬＰＡ１により出力さ
れる第１及び第２の画像をそれぞれ分割集光させることにより所定の視方向へ規制する複
数のシリンドリカルレンズを備えたレンチキュラーレンズを使用しても同様の効果を得る
ことができる。
【００６１】
［第３の実施形態］
上記第１及び第２の実施形態に示す２画面液晶表示パネルは、いずれも液晶表示基板Ｄ
Ｓに何らかの構成を追加することにより左右にそれぞれ表示される画像の輝度分布の偏り
をなくしている。しかしながら、液晶表示基板ＤＳの構成を変更することなく、遮光バリ
ア基板ＢＳの構成を変更することによっても、上述した各実施形態に示すものと同様の効
果を得ることが可能である。そこで以下には、第３の実施形態として、上述した各実施形
態のものとは異なる構成を採用した第１、第２サブ画素ＲＰＡ２、ＬＰＡ２について、図
１１を参照して説明する。なお、本実施形態に係る発明は、第１、第２サブ画素ＲＰＡ２
、ＬＰＡ２の構成以外は上記第１の実施形態に係る２画面液晶表示パネル１と同様の構成
を備えているので、共通する構成については同一の参照符号を付してその説明を省略し、
異なる構成についてのみ説明を行うものとする。
【００６２】
第３の実施形態に係る第１、第２サブ画素ＲＰＡ２、ＬＰＡ２の構成は、液晶表示基板
ＤＳについては従来のものと全く同一である。すなわち、この第１、第２サブ画素ＲＰＡ
２、ＬＰＡ２は、走査線１１及び信号線１２に囲まれた矩形状の領域で構成されると共に
、対応する信号が入力される信号線１２と走査線１１とが交差する部分の近傍にＴＦＴが
形成されたものである。
【００６３】
そして、本実施形態の遮光バリア基板ＢＳは、図１１に示すように、この遮光バリア基
板ＢＳに形成されるスリット３２'の形状が、第１、第２サブ画素ＲＰＡ２、ＬＰＡ２の
各表示部分６１Ｒ、６１Ｌとほぼ同じか若干小さな面積を有するとともに、その概略形状
が、各表示部分６１Ｒ、６１Ｌとほぼ同一となっている。すなわち、このスリット３２'
の形状は、長方形状に形成されていると共に、第１、第２サブ画素ＲＰＡ２、ＬＰＡ２の
コンタクトホール形成部６３Ｒ、６３Ｌの形状に合わせて、１つの隅部３４が切り欠かれ
た形状となっている。
【００６４】
加えて、このスリット３２'の上部幅をａとし、第１、第２サブ画素ＲＰＡ２、ＬＰＡ
２の表示部分６１Ｒ、６１Ｌの上部幅をａ'とし、更には、スリット３２'の下部幅をｂと
し、第１、第２サブ画素ＲＰＡ２、ＬＰＡ２の表示部分６１Ｒ、６１Ｌの下部幅をｂ'と
した場合、それぞれの幅同士の関係は以下の式（１）に示す関係となっている。
ａ：ａ'＝ｂ：ｂ'                                    ・・・（１）
【００６５】
このように、本実施形態の遮光バリア基板ＢＳに形成されたスリット３２'は、第１、
第２サブ画素ＲＰＡ２、ＬＰＡ２の表示部分６１Ｒ、６１Ｌの形状に合わせてその上下幅
ａ、ｂ及び概略形状を変更している。すなわち、このスリット３２'の形状は、左右の視
方向から見た際に、第１、第２サブ画素ＲＰＡ２、ＬＰＡ２の非表示部分６２Ｒ、６２Ｌ
が視認できないように予めその形状を設定している。したがって、このスリット３２'を
介して視認される第１、第２の画像は何れも液晶表示基板ＤＳのアレイ基板ＡＲ上に形成
された配線構造に影響されることなく、左視方向及び右視方向に導かれる輝度分布は左右
何れにも偏ることのないものとなる。これにより、本実施形態に記載のものは、上述の従
来技術として説明した図２０に示すような左右の視方向での輝度分布の偏りの発生しない
、均等な輝度分布が得られる。
【００６６】
［第４の実施形態］
上記第１〜第３の実施形態においては、何れも２画面液晶表示パネルについて説明を行
った。しかしながら、本発明は３画面液晶表示パネルにおいても同様の効果を得ることが
可能である。そこで以下には、第４の実施形態として３画面液晶表示パネル２における本
発明の構成を説明する。なお、以下の説明においては、上記第１の実施形態に係る２画面
液晶表示パネル１と同様の構成を備えている点については同一の参照符号を付してその説
明を省略し、異なる構成についてのみ説明を行うものとする。
【００６７】
第４の実施形態に係る３画面液晶表示パネル２は、図１２に示すように、表示基板を構
成する液晶表示基板ＤＳと視方向規制基板を構成する遮光バリア基板ＢＳとを積層配置し
透明材料からなる接着剤４１を用いて接着したものである。また、この液晶表示基板ＤＳ
と遮光バリア基板ＢＳの積層体の表面及び背面にはそれぞれ偏光板４２、４３が取り付け
られており、さらに液晶表示基板ＤＳの背面に取り付けられた偏光板４３の背面にはバッ
クライトＢＬが配設されている。
【００６８】
液晶表示基板ＤＳは、カラーのＷＶＧＡであり、更にはその駆動方式がＦＦＳ（Fringe
Field Switching）モードの液晶表示基板で構成されている。そして、ガラス等からなる
透明基板１０の表面に各種配線が形成されたアレイ基板ＡＲと、同じくガラス等からなる
透明基板２０の表面に遮光層（図示省略）や複数色、例えばＲ（赤）、Ｇ（緑）、Ｂ（青
）のカラーフィルタ層２１等が設けられたカラーフィルタ基板ＣＦと、を備え、これらの
基板ＡＲ、ＣＦを対向させてシール材（図示省略）により貼り合わせ、内部に液晶ＬＣを
封入することで形成されるものである。また、液晶表示基板ＤＳのカラーフィルタ基板Ｃ
Ｆに形成される遮光層は、アレイ基板ＡＲに設けられる走査線１１及び信号線１２と平面
視で重なる部分と、後述する非表示部分７２Ｒ、７２Ｍ、７２Ｌ（図１４参照）と平面視
で重なる部分を覆うように形成されており、この遮光層により覆われた領域にカラーフィ
ルタ層２１が配設されることになる。
【００６９】
この液晶表示基板ＤＳの各サブ画素は、第１の画像、第２の画像及び第３の画像、例え
ばナビゲーション画像、ＤＶＤ画像及びテレビ画像等を表示するものにそれぞれ分かれて
いる。詳しくは、図１２に示すように、第１の画像としてのナビゲーション画像を右側に
表示するための第１サブ画素ＲＰＡ３と、第２の画像としてのＤＶＤ画像を中央に表示す
るための第２サブ画素ＭＰＡ３と、第３の画像としてのテレビ画像を左側に表示するため
の第３サブ画素ＬＰＡ３と、が互いにゲートライン方向に順に配列されている。
【００７０】
遮光バリア基板ＢＳは、ガラス等からなる透明基板３０の表面にブラックマトリクス等
で形成された遮光バリア３１と、この遮光バリア３１を覆うように配設されてこの遮光バ
リア３１の剥離及び液晶表示基板ＤＳとの接着を強固にするためのオーバーレイヤ３３を
備えている。この遮光バリア３１は、透明基板３０の全面に塗布されているとともに、第
１の画像を表示する第１サブ画素ＲＰＡ３を透過した光を例えば３画面液晶表示パネル２
の右側に位置する席（例えば運転席）側にのみ透過し、第２の画像を表示する第２サブ画
素ＭＰＡ３を透過した光を例えば３画面液晶表示パネル２の中央に位置する席（例えば後
部座席）側にのみ透過し、第３の画像を表示する第３サブ画素ＬＰＡ３を透過した光を例
えば３画面液晶表示パネル２の左側に位置する席（例えば助手席）側にのみ透過するよう
にその視方向を規制するものである。この遮光バリア３１は、市松模様に配設されており
、この遮光バリア３１の複数の隙間にスリット３２が形成されている。なお、本実施形態
における遮光バリア３１は、上述した実施形態の遮光バリア３１よりその面積が大きく設
定されており、これに伴って、本実施形態におけるスリット３２は、上述した実施形態の
遮光バリア３１よりその面積が小さく設定されている。これは、左右及び中央の３方向に
それぞれ異なる画像を表示するために、それぞれの画像の視認可能角度が上記２画面液晶
表示パネル１より小さく設定されているためである。
【００７１】
本実施形態に係る３画面液晶表示パネル２の液晶表示基板ＤＳにおいては、図１３に示
すように、３つの第１〜第３サブ画素ＲＰＡ３、ＭＰＡ３、ＬＰＡ３のうち、２つのサブ
画素、詳しくは第２及び第３サブ画素ＭＰＡ３、ＬＰＡ３については、従来の液晶表示基
板と同様に、対応する信号が入力される信号線１２と走査線１１との交差部近傍にＴＦＴ
を設け、対応する信号が入力される信号線１２に沿ってドレイン電極ＤＥが延在している
。しかしながら、残り１つのサブ画素、詳しくは第１サブ画素ＲＰＡ３については、ＴＦ
Ｔの形成位置は上記第２及び第３サブ画素ＭＰＡ３、ＬＰＡ３のものと同一であるが、こ
のＴＦＴから延びるドレイン電極ＤＥが、走査線１１上をクランク状に屈曲配線され、対
応する信号が入力される信号線１２から離れた位置まで配線されている。さらに詳しく言
えば、本実施形態における第１サブ画素ＲＰＡ３のＴＦＴから延びるドレイン電極ＤＥは
、一端部が半導体層１３上に配設され、且つこの一端部からクランク状に屈曲されて、対
応する信号が入力される信号線１２（便宜上この信号線を１２Ｐとする）とは異なる隣接
した他の信号線１２（便宜上この信号線を１２Ｓとする）に近接する位置まで延在され、
この信号線１２Ｓに沿って（図１３における上方向に）更に延在し、その端部にコンタク
トホールＣＨが形成されている。
【００７２】
なお、このようにクランク状に屈曲されて配線されたドレイン電極ＤＥの中間部の配線
は、走査線１１上に配設されている。そして、このようにドレイン電極ＤＥの中間部がそ
の上部に配線できるように、走査線１１はその幅長が比較的大きく設定されている。この
ように、上述のような配線構造のドレイン電極ＤＥを有する第１サブ画素ＲＰＡ３は、他
のサブ画素、特に第３サブ画素ＬＰＡ３の形状と比較すると、コンタクトホールＣＨ形成
位置が異なっている。当然ながら、ドレイン電極ＤＥは信号線１２及びソース電極ＳＥと
同一工程且つ同一材料で形成されているので遮光性の導電材料からなり、加えてこのドレ
イン電極ＤＥ上は遮光層で覆われている。よって、このドレイン電極ＤＥ上は表示に寄与
しない部分、すなわち非表示部分（７２Ｒ、７２Ｍ、７２Ｌ）となる。
【００７３】
次に、図１４を参照して上述の構成を備える液晶表示基板ＤＳの第１〜第３サブ画素Ｒ
ＰＡ３、ＭＰＡ３、ＬＰＡ３と、遮光バリア基板ＢＳのスリット３２との位置関係につい
て説明する。なお、図１４は図１３に示す第１〜第３サブ画素ＲＰＡ３、ＭＰＡ３、ＬＰ
Ａ３に対応した図面であり、第１〜第３サブ画素ＲＰＡ３、ＭＰＡ３、ＬＰＡ３の表示部
分７１Ｒ、７１Ｍ、７１Ｌと非表示部分７２Ｒ、７２Ｍ、７２Ｌにはそれぞれ異なるハッ
チングを施し、スリット３２は点線で示している。
【００７４】
第１〜第３サブ画素ＲＰＡ３、ＭＰＡ３、ＬＰＡ３は、図１４に示すように、後述する
コンタクトホール形成部７３Ｒ、７３Ｍ、７３Ｌを除く画素電極１５が形成された領域が
表示に寄与する部分、すなわち表示部分７１Ｒ、７１Ｍ、７１Ｌを形成している。そして
、コンタクトホールＣＨが形成された部分、厳密に言えばコンタクトホールＣＨが形成さ
れることで露出するドレイン電極ＤＥの端部が配線された部分がコンタクトホール形成部
７３Ｒ、７３Ｍ、７３Ｌとなり、ＴＦＴが表面に形成された走査線１１の配線部分がスイ
ッチング素子形成部７４Ｒ、７４Ｍ、７４Ｌとなる。これらコンタクトホール形成部７３
Ｒ、７３Ｍ、７３Ｌ及びスイッチング素子形成部７４Ｒ、７４Ｍ、７４Ｌが、表示に寄与
しない部分、すなわち非表示部分７２Ｒ、７２Ｍ、７２Ｌを形成している。
【００７５】
また、図１４に示すように、ゲートライン方向に沿って順に配置された第１〜第３サブ
画素ＲＰＡ３、ＭＰＡ３、ＬＰＡ３のうち、第２サブ画素ＭＰＡ３上、すなわち第１サブ
画素ＲＰＡ３と第３サブ画素ＬＰＡ３の間にこれらのサブ画素ＲＰＡ３、ＭＰＡ３、ＬＰ
Ａ３とほぼ同一の大きさ且つ形状を有するスリット３２が位置している。このスリット３
２は、縦方向に細長な矩形状の開孔であって、その長手方向の長さが第１〜第３サブ画素
ＲＰＡ３、ＭＰＡ３、ＬＰＡ３の長手方向の長さとほぼ同じか若干小さく設定されている
。同様に、スリット３２の短手方向の長さは、第１〜第３サブ画素ＲＰＡ３、ＭＰＡ３、
ＬＰＡ３の短手方向の長さとほぼ同じか若干小さく設定されている。
【００７６】
そして、上述のような構成からなる第１〜第３サブ画素ＲＰＡ３、ＭＰＡ３、ＬＰＡ３
のうち、第１及び第３サブ画素ＲＰＡ３、ＬＰＡ３の表示部分７１Ｒ、７１Ｌの形状は、
図１４に示すように、第１、第３サブ画素ＲＰＡ３、ＬＰＡ３間の中央に引かれた中心線
ＣＬを境に、互いに線対称となる形状を有している。また、同様に、非表示部分７２Ｒ、
７２Ｌについても、この中心線ＣＬを境に互いに線対称となる形状を有している。なお、
この中心線ＣＬは第２サブ画素ＭＰＡ３の長手方向沿った中心線と重なっている。また、
本実施形態においては第２サブ画素ＭＰＡ３の配線構造は第３サブ画素ＬＰＡ３と同様、
すなわち従来の液晶表示基板で採用されている配線構造としているが、特にこの配線構造
に限定されるものではない。つまり、本実施形態における重要な構成は、第１、第３サブ
画素ＲＰＡ３、ＬＰＡ３の配線構造である。
【００７７】
このように、第１、第３サブ画素ＲＰＡ３、ＬＰＡ３の表示部分７１Ｒ、７１Ｌが中心
線ＣＬを境に互いに線対称となる形状を有していると、以下に示すような効果を得ること
ができる。すなわち、遮光バリア基板ＢＳに形成されたスリット３２は、第１、第３サブ
画素ＲＰＡ３、ＬＰＡ３の間に配設されており、且つ、このスリット３２の長手方向に平
行な中心線は、第１、第３サブ画素ＲＰＡ３、ＬＰＡ３間に引かれた中心線ＣＬと一致し
ている。したがって、このような構成を備える３画面液晶表示パネル２を駆動すると、ス
リット３２を通って左視方向及び右視方向に導かれる輝度分布は、第１、第３サブ画素Ｒ
ＰＡ３、ＬＰＡ３の表示部分７１Ｒ、７１Ｌがスリット３２に対しても線対称な形状を維
持しているので、左右の視方向の間ではほとんど同一の輝度分布となる。これにより、本
実施形態に記載のものは、上述の従来技術として説明した図２０に示すような左右の視方
向での輝度分布の偏りの発生しない、均等な輝度分布が得られる。なお、このように輝度
分布の偏りが発生していない状態で左右への第１、第３画像の表示が行われるとき、第２
の画像は特段の構成を備えていなくとも、３画面液晶表示パネル２の中心に向かって左右
何れかへの輝度分布の偏りが発生することなく表示されている。
【００７８】
したがって、上述の構成を備える第４の実施形態に係る３画面液晶表示パネル２は、輝
度分布の偏りがないため、例えば車載ナビゲーション装置の表示装置として使用した場合
、左右座席の間に配設されることで左右及び中央の何れの座席からも対応する画像が見や
すくなる。
【００７９】
また、上記第４の実施形態においては、第１、第３サブ画素ＲＰＡ３、ＬＰＡ３のコン
タクトホール形成部７３Ｒ、７３Ｌを第１、第３サブ画素ＲＰＡ３、ＬＰＡ３間の中央に
位置する中心線ＣＬに対して線対称となる位置に形成するため、第１サブ画素ＲＰＡ３の
ドレイン電極ＤＥをクランク状に屈曲させた構成について説明した。しかしながら、この
ようにドレイン電極ＤＥをクランク状に延在させるだけでなく、例えばＴＦＴの形成位置
を変更することによっても上述と同様の位置にコンタクトホール形成部７３Ｒ、７３Ｌを
配設することができる。そこで、以下には、上記第４の実施形態の変形例として、一方の
サブ画素のＴＦＴ形成位置を変更したものについて図１５を参照して説明する。
【００８０】
本変形例に係る第１〜第３サブ画素ＲＰＡ３'、ＭＰＡ３'、ＬＰＡ３'は、このうちの
一つ、詳しくは第１サブ画素ＲＰＡ３'のＴＦＴが、対応する信号が入力される信号線１
２Ｐとは異なる隣接した他の信号線１２Ｓに近接した位置に設けられている。すなわち、
第１サブ画素ＲＰＡ３'の対応する信号が入力される信号線１２Ｐから延設されるソース
電極ＳＥが、隣接した他の信号線１２Ｓに近接する位置まで走査線１１上を延びており、
他の信号線１２Ｓに近接した位置に予め設けられた半導体層１３にその端部が重畳してい
る。そして、このソース電極ＳＥの端部に半導体層１３上で対向配置されたドレイン電極
ＤＥが他の信号線１２Ｓに沿って延在することにより、この他の信号線１２Ｓに近接した
位置に第１サブ画素ＲＰＡ３'のコンタクトホール形成部７３Ｒが設けられている。これ
により、第１サブ画素ＲＰＡ３'のコンタクトホール形成部７３Ｒと第３サブ画素ＬＰＡ
３'のコンタクトホール形成部７３Ｌとが、第２サブ画素ＭＰＡ３'を境に互いに線対称と
なる位置に配設されることになる。
【００８１】
上述のように、第１サブ画素ＲＰＡ３'のＴＦＴの形成位置を変更すれば、上記第４の
実施形態において図１４に示すものと同様に、第１、第３サブ画素ＲＰＡ３'、ＬＰＡ３'
の表示部分７１Ｒ、７１Ｌも中心線ＣＬに対して線対称な形状となるので、上記第４の実
施形態の奏する効果と同様の効果を得ることができる。
【００８２】
なお、上記第４の実施形態及びその変形例においては、第１サブ画素ＲＰＡ３、ＲＰＡ
３'のドレイン電極ＤＥ形状あるいはＴＦＴ配設位置を工夫することにより上述の効果を
奏するものについて説明したが、第３サブ画素ＬＰＡ３、ＬＰＡ３'のドレイン電極ＤＥ
形状あるいはＴＦＴ配設位置を工夫することで上述の効果を奏する構成とすることももち
ろん可能である。
【００８３】
［第５の実施形態］
以下には、本発明の第５の実施形態として、上述した第４の実施形態のものとは異なる
構成を採用した第１〜第３サブ画素ＲＰＡ４、ＭＰＡ４、ＬＰＡ４について、図１６及び
図１７を参照して説明する。なお、本実施形態に係る発明は、第１〜第３サブ画素ＲＰＡ
４、ＭＰＡ４、ＬＰＡ４の構成以外は上記第４の実施形態に係る３画面液晶表示パネル２
と同様の構成を備えているので、共通する構成については同一の参照符号を付してその説
明を省略し、異なる構成についてのみ説明を行うものとする。
【００８４】
第５の実施形態に係る第１〜第３サブ画素ＲＰＡ４、ＭＰＡ４、ＬＰＡ４は、アレイ基
板ＡＲに設けられる各種配線の構成については従来のものと同一である。すなわち、第１
〜第３サブ画素ＲＰＡ４、ＭＰＡ４、ＬＰＡ４は、走査線１１及び信号線１２に囲まれた
矩形状の領域であって、その一隅部、詳しくは対応する信号が入力される信号線１２と走
査線１１とが交差する部分の近傍にＴＦＴが形成された構成を備えている。そして、この
ＴＦＴが形成された部分からドレイン電極ＤＥが信号線１２に沿って延在しており、この
ドレイン電極ＤＥの端部がコンタクトホールＣＨを介して露出して画素電極１５に接続さ
れることになる。
【００８５】
このように、アレイ基板ＡＲの構成は従来のものと同一であるが、本実施形態に係る第
１〜第３サブ画素ＲＰＡ４、ＭＰＡ４、ＬＰＡ４のカラーフィルタ基板ＣＦの遮光層２２
が、従来とは異なる構成を備えている。この遮光層２２の構成について詳述すると、従来
のカラーフィルタ基板に形成される遮光層は、走査線及び信号線上、ＴＦＴ上及びコンタ
クトホール形成部上を覆うように成膜されるが、本実施形態の遮光層２２は、これらの上
部に加えて、第１、第３サブ画素ＲＰＡ４、ＬＰＡ４の表示可能な領域を狭くする遮光部
分７９Ｒ、７９Ｌにも設けられている。この遮光部分７９Ｒ、７９Ｌは、図１６及び図１
７に示すように、第１、第３サブ画素ＲＰＡ４、ＬＰＡ４のコンタクトホール形成部７７
Ｒ、７７Ｌと第１、第３サブ画素ＲＰＡ４、ＬＰＡ４の長手方向に平行な中心線を基準に
対称となる位置に設けられている。したがって、図１７に示すように、第１、第３サブ画
素ＲＰＡ４、ＬＰＡ４のコンタクトホール形成部７７Ｒ、７７Ｌと、スイッチング素子形
成部７８Ｒ、７８Ｌと、遮光部分７９Ｒ、７９Ｌとで構成される非表示部分７６Ｒ、７６
Ｌは同一且つ互いに対称な形状となっている。なお、第２サブ画素ＭＰＡ４には、上述の
遮光部分７９Ｒ、７９Ｌのような構造は設ける必要がない。
【００８６】
すなわち、本実施形態に係る構造によれば、この遮光部分７９Ｒ、７９Ｌにも遮光層２
２が形成されることで、非表示部分７６Ｒ、７６Ｌが同一且つ互いに対称な形状となり、
以って、第１、第３サブ画素ＲＰＡ４、ＬＰＡ４の表示部分７５Ｒ、７５Ｌも同一、且つ
第１、第３サブ画素ＲＰＡ４、ＬＰＡ４の間に引かれた中心線ＣＬを境に線対称な形状と
なっている。したがって、本実施形態においても、スリット３２を通って左視方向及び右
視方向に導かれる輝度分布は左右何れにも偏ることのないものとなる。また、このスリッ
ト３２は第２サブ画素ＭＰＡ４上に配設されており、しかもこのスリット３２の長手方向
の中心線と第２サブ画素ＭＰＡ４の長手方向の中心線とは上述した中心線ＣＬに一致して
いる。よって、第２サブ画素ＭＰＡ４の輝度分布も左右何れにも偏ることがない。これに
より、本実施形態に記載のものは、上述の従来技術として説明した図２０に示すような左
右の視方向での輝度分布の偏りの発生しない、均等な輝度分布が得られる。
【００８７】
なお、上記第４の実施形態、第４の実施形態の変形例及び第５の実施形態においては、
遮光バリア基板ＢＳを有するものについて説明したが、遮光バリア基板ＢＳに代えて、第
１、第２サブ画素ＲＰＡ３、ＲＰＡ３'ＲＰＡ４及びＬＰＡ３、ＬＰＡ３'、ＬＰＡ４によ
り出力される第１及び第２の画像をそれぞれ分割集光させることにより所定の視方向へ規
制する複数のシリンドリカルレンズを備えたレンチキュラーレンズを使用しても同様の効
果を得ることができる。
【００８８】
［第６の実施形態］
以下には、第３の実施形態として、上述した各実施形態のものとは更に異なる構成を採
用した第１〜第３サブ画素ＲＰＡ５、ＭＰＡ５、ＬＰＡ５について、図１８を参照して説
明する。なお、本実施形態に係る発明は、第１〜第３サブ画素ＲＰＡ５、ＭＰＡ５、ＬＰ
Ａ５の構成以外は上記第４の実施形態に係る３画面液晶表示パネル２と同様の構成を備え
ているので、共通する構成については同一の参照符号を付してその説明を省略し、異なる
構成についてのみ説明を行うものとする。
【００８９】
第６の実施形態に係る第１〜第３サブ画素ＲＰＡ５、ＭＰＡ５、ＬＰＡ５の構成は、液
晶表示基板ＤＳについては従来のものと全く同一である。すなわち、第１〜第３サブ画素
ＲＰＡ５、ＭＰＡ５、ＬＰＡ５は、走査線１１及び信号線１２に囲まれた矩形状の領域で
構成されると共に、対応する信号が入力される信号線１２と走査線１１とが交差する部分
の近傍にＴＦＴが形成されたものである。
【００９０】
そして、本実施形態の遮光バリア基板ＢＳは、図１８に示すように、この遮光バリア基
板ＢＳに形成されるスリット３２"の形状が、第１〜第３サブ画素ＲＰＡ５、ＭＰＡ５、
ＬＰＡ５のうち、少なくとも第１、第３サブ画素ＲＰＡ５、ＬＰＡ５の各表示部分８１Ｒ
、８１Ｌとほぼ同じか若干小さな面積を有するとともに、その概略形状が、各表示部分８
１Ｒ、８１Ｌとほぼ同一となっている。すなわち、このスリット３２"の形状は、長方形
状に形成されていると共に、第１、第３サブ画素ＲＰＡ５、ＬＰＡ５のコンタクトホール
形成部８３Ｒ、８３Ｌの形状に合わせて、１つの隅部３５が切り欠かれた形状となってい
る。また、このスリット３２"は第１、第３サブ画素ＲＰＡ５、ＬＰＡ５間の中央部、つ
まり第２サブ画素ＭＰＡ５の表示部分８１Ｍに重なる位置に配設されている。
【００９１】
加えて、このスリット３２"の上部幅をｃとし、第１、第３サブ画素ＲＰＡ５、ＬＰＡ
５の表示部分８１Ｒ、８１Ｌの上部幅をｃ'とし、更には、スリット３２"の下部幅をｄと
し、第１、第３サブ画素ＲＰＡ５、ＬＰＡ５の表示部分８１Ｒ、８１Ｌの下部幅をｄ'と
した場合、それぞれの幅同士の関係は以下の式（２）に示す関係となっている。
ｃ：ｃ'＝ｄ：ｄ'                                    ・・・（２）
【００９２】
このように、本実施形態の遮光バリア基板ＢＳに形成されたスリット３２"は、第１、
第３サブ画素ＲＰＡ５、ＬＰＡ５の表示部分８１Ｒ、８１Ｌの形状に合わせてその上下幅
ｃ、ｄ及び概略形状を変更している。すなわち、このスリット３２"の形状は、左右の視
方向から見た際に、第１、第３サブ画素ＲＰＡ５、ＬＰＡ５の非表示部分８２Ｒ、８２Ｌ
が視認できないように予めその形状を設定している。したがって、このスリット３２"を
介して視認される第１、第２の画像は何れも液晶表示基板ＤＳのアレイ基板ＡＲ上に形成
された配線構造に影響されることなく、左視方向及び右視方向に導かれる輝度分布は左右
何れにも偏ることのないものとなる。また同様に、このスリット３２"は第２サブ画素Ｍ
ＰＡ５上に配設されると共にその外径形状が第２サブ画素８１Ｍとほぼ同一であり、しか
もこのスリット３２"の長手方向の中心線と第２サブ画素ＭＰＡ５の長手方向の中心線と
は上述した中心線ＣＬに一致している。よって、第２サブ画素ＭＰＡ４の輝度分布も左右
何れにも偏ることがない。これにより、本実施形態に記載のものは、上述の従来技術とし
て説明した図２０に示すような左右の視方向での輝度分布の偏りの発生しない、均等な輝
度分布が得られる。
【００９３】
上述した第１〜第６の実施形態に係る２画面液晶表示パネル及び３画面液晶表示パネル
においては、カラーフィルタ層２１を用いた液晶表示基板ＤＳを採用したものを説明した
。しかしながら、他の構成、例えばバックライトＢＬからの光に色成分を予め付与するこ
とでカラーフィルタ層２１を使用することなくカラー画像を表示することが可能な、いわ
ゆるフィールドシーケンシャル方式の液晶表示基板を使用することも可能である。
【００９４】
また、上記第１〜第６の実施形態に係る２画面液晶表示パネル及び３画面液晶表示パネ
ルにおいては、何れもその駆動方式としてＦＦＳモードを採用した液晶表示基板ＤＳを使
用したものを説明した。しかし、本発明の２画面液晶表示パネル及び３画面液晶表示パネ
ルはこれに限定されることなく、例えばＴＮ（Twisted Nematic）モード、ＶＡ（Vertica
l Alignment）モード、あるいはＩＰＳ（In-Plane Switching）モードなどの駆動方式の
液晶表示基板を使用することも可能である。特に、ＴＮモードやＶＡモードに代表される
いわゆる縦電界方式の駆動モードで駆動する液晶表示基板においては、各サブ画素内に補
助容量形成部が配設されるため、非表示部分、特にコンタクトホール形成部の面積がＦＦ
Ｓモードに代表されるいわゆる横電界方式の駆動モードのものに比べて大きくなる。した
がって、このような縦電界方式のものは本発明が解決しようとする課題がより顕在化しや
すい。よってこのような縦電界方式の液晶表示基板を用いた２画面液晶表示パネル及び３
画面液晶表示パネルにおいては、本発明の構成がより効果的となる。
【００９５】
さらに、上記第１〜第６の実施形態においては、２画面液晶表示パネル及び３画面液晶
表示パネルについて説明を行ったが、例えばさらに多くの画像を表示するパネルについて
も同様の原理を用いれば上述した効果を得ることができる。例えば、４画面表示パネルに
本発明の構成を採用する場合には、上記第１〜第３の実施形態に示した第１、第２サブ画
素と同一の構成のサブ画素を１つずつ追加すればよい、また、５画面表示パネルに本発明
の構成を採用する場合には、上記第４〜第６の実施形態に示した第１、第３サブ画素と同
一の構成のサブ画素を１つずつ追加すればよい。このように、複数の画像を表示する表示
パネルには、画像の数に限らず本発明の構成を採用することが可能である。
【図面の簡単な説明】
【００９６】
【図１】本発明の第１の実施形態に係る２画面液晶表示パネルを示す平面図である。
【図２】図１の２画面液晶表示パネルの表示領域における断面図である。
【図３】左右から見た表示画面を示す図である。
【図４】遮光バリア基板の要部を拡大して示す平面図である。
【図５】液晶表示基板の２つのサブ画素の配線構造を示す拡大平面図である。
【図６】各サブ画素の表示部分及び非表示部分とスリットとの位置関係を示す概略説明図である。
【図７】第１の実施形態に係る２画面液晶表示パネルにおける白色の輝度分布バランスを測定した結果を示すグラフである。
【図８】第１の実施形態の変形例に係る液晶表示基板の２つのサブ画素の配線構造を示す拡大平面図である。
【図９】第２の実施形態に係る２画面液晶表示パネルの液晶表示基板の２つのサブ画素の配線構造を示す拡大平面図である。
【図１０】図９に対応した各サブ画素の表示部分及び非表示部分とスリットとの位置関係を示す概略説明図である。
【図１１】第３の実施形態における各サブ画素の表示部分及び非表示部分とスリットとの位置関係を示す概略説明図である。
【図１２】第４の実施形態にかかる３画面液晶表示パネルの表示領域における断面図である。
【図１３】液晶表示基板の３つのサブ画素の配線構造を示す拡大平面図である。
【図１４】図１３に対応した各サブ画素の表示部分及び非表示部分とスリットとの位置関係を示す概略説明図である。
【図１５】第４の実施形態の変形例に係る液晶表示基板の３つのサブ画素の配線構造を示す拡大平面図である。
【図１６】第５の実施形態に係る３画面液晶表示パネルの液晶表示基板の３つのサブ画素の配線構造を示す拡大平面図である。
【図１７】図１６に対応した各サブ画素の表示部分及び非表示部分とスリットとの位置関係を示す概略説明図である。
【図１８】第６の実施形態における各サブ画素の表示部分及び非表示部分とスリットとの位置関係を示す概略説明図である。
【図１９】従来例に係る２画面表示装置の断面図である。
【図２０】図１９に示す２画面表示装置における白色の輝度分布バランスを測定した結果を示すグラフである。
【符号の説明】
【００９７】
１：２画面液晶表示パネル  ２：３画面液晶表示パネル  １０、２０、３０：透明基板  
１１：走査線  １２：信号線  １３：半導体層  １４：共通電極  １５：画素電極  １５
ａ：スリット  ２１：カラーフィルタ層  ３１：遮光バリア  ３２、３２'、３２"：スリ
ット  ４１：接着剤  ４２、４３：偏光板  ５１Ｒ、５１Ｌ、５５Ｒ、５５Ｌ、６１Ｒ、
６１Ｌ：表示部分  ５２Ｒ、５２Ｌ、５６Ｒ、５６Ｌ、６２Ｒ、６２Ｌ：非表示部分  ５
３Ｒ、５３Ｌ、５７Ｒ、５７Ｌ、６３Ｒ、６３Ｌ：コンタクトホール形成部  ５４Ｒ、５
４Ｌ、５８Ｒ、５８Ｌ、６４Ｒ、６４Ｌ：スイッチング素子形成部  ５９Ｒ、５９Ｌ：遮
光部分  ７１Ｒ、７１Ｍ、７１Ｒ：表示部分  ７２Ｒ、７２Ｍ、７２Ｒ：非表示部分  ７
３Ｒ、７３Ｍ、７３Ｒ：コンタクトホール形成部  ７４Ｒ、７４Ｍ、７４Ｒ：スイッチン
グ素子形成部  ＤＳ：液晶表示基板  ＢＳ：遮光バリア基板  ＢＬ：バックライト  ＡＲ
：アレイ基板  ＣＦ：カラーフィルタ基板  ＳＥ：ソース電極  ＤＥ：ドレイン電極  Ｃ
Ｈ：コンタクトホール  ＣＬ：中心線  ＤＡ：表示領域  ＲＰＡ、ＲＰＡ' 、ＲＰＡ１、
ＲＰＡ２：（２画面液晶表示パネルの）第１サブ画素  ＬＰＡ、ＬＰＡ' 、ＬＰＡ１、Ｌ
ＰＡ２：（２画面液晶表示パネルの）第２サブ画素  ＲＰＡ３、ＲＰＡ３'、ＲＰＡ４、
ＲＰＡ５：（３画面液晶表示パネルの）第１サブ画素  ＭＰＡ３、ＭＰＡ３'、ＭＰＡ４
、ＭＰＡ５：（３画面液晶表示パネルの）第２サブ画素  ＬＰＡ３、ＬＰＡ３'、ＬＰＡ
４、ＬＰＡ５：（３画面液晶表示パネルの）第３サブ画素
【図１】
2009223098.tif 000003
【図２】
2009223098.tif 000004
【図３】
2009223098.tif 000005
【図４】
2009223098.tif 000006
【図５】
2009223098.tif 000007
【図６】
2009223098.tif 000008
【図７】
2009223098.tif 000009
【図８】
2009223098.tif 000010
【図９】
2009223098.tif 000011
【図１０】
2009223098.tif 000012
【図１１】
2009223098.tif 000013
【図１２】
2009223098.tif 000014
【図１３】
2009223098.tif 000015
【図１４】
2009223098.tif 000016
【図１５】
2009223098.tif 000017
【図１６】
2009223098.tif 000018
【図１７】
2009223098.tif 000019
【図１８】
2009223098.tif 000020
【図１９】
2009223098.tif 000021
【図２０】
2009223098.tif 000022